(57)【要約】【課題】雨天時に風が発生したときでも厳格な禁水性が保持された作業空間を確保できる雨天作業用テントを提供する。【解決手段】雨天作業用テントは、作業空間への雨の吹き込みを防止するために張られる雨天作業用テントにおいて、上記作業空間の床面から縦立され、天頂で交差する上方に凸形の複数のフレームと、外表面に上記フレームが通されるフレームガイドが付設され、上記フレームガイドに通された上記フレームに因って天頂部が上方に凸のアーチ状および下部として柱状の空間を囲繞するように袋状に張設される１枚の防水性シートと、を具備する。【選択図】図１
2006257759.tif 000002
【特許請求の範囲】
【請求項１】
作業空間への雨の吹き込みを防止するために張られる雨天作業用テントにおいて、
上記作業空間の床面から縦立され、天頂で交差する上方に凸形の複数のフレームと、外表面に上記フレームが通されるフレームガイドが付設され、上記フレームガイドに通された上記フレームに因って天頂部が上方に凸状および下部として柱状の空間を囲繞するように袋状に張設される１枚の防水性シートと、を具備することを特徴とする雨天作業用テント。
【請求項２】
上記シートは、背面に作業対象物に面した開口部が設けられ、上記作業対象物に挟持部材により挟持されるフラップ部が上記開口部の外周から延ばされていることを特徴とする請求項１に記載する雨天作業用テント。
【請求項３】
上記フラップ部に上記フラップ部を張設する係止ロープが付設されていることを特徴とする請求項２に記載する雨天作業用テント。
【請求項４】
上記フレームは、一端に被嵌合部、他端に嵌合部が形成されている複数のパイプから構成され、
上記複数のパイプは、連結される順番に上記パイプの内側に通されたロープにより整列され、上記被嵌合部を他の上記パイプの上記嵌合部に嵌合することにより連結されることを特徴とする請求項１乃至３のいずれかに記載する雨天作業用テント。
【発明の詳細な説明】
【技術分野】
【０００１】
この発明は、雨天においても作業を行える作業空間を確保するための雨天作業用テントに関する。
【背景技術】
【０００２】
従来の雨天作業用テントは、作業部位に設けられて簡易雨除けを作成するための作業用テントにおいて、キャビネットの上部に取り付けられた収納手段と、上記収納手段の内部に収納されると共に、この収納手段内部に端部が取り付けられ、上記収納手段内部に収納された状態から引き出し自在とするテント体と、を具備する（例えば、特許文献１参照）。
【０００３】
【特許文献１】特開２０００−２７４１１６号公報
【発明の開示】
【発明が解決しようとする課題】
【０００４】
しかし、サイドカバーが重りにより展開状態が維持されているが、横からの風にあおられると、サイドカバーの隙間から作業空間に雨水が吹き込んでしまい、厳格な禁水性を保持することが難しいという問題がある。
【０００５】
この発明の目的は、雨天時に風が発生したときでも厳格な禁水性が保持された作業空間を確保できる雨天作業用テントを提供することである。
【課題を解決するための手段】
【０００６】
この発明に係わる雨天作業用テントは、作業空間への雨の吹き込みを防止するために張られる雨天作業用テントにおいて、上記作業空間の床面から縦立され、天頂で交差する逆Ｕ字形の複数のフレームと、外表面に上記フレームが通されるフレームガイドが付設され、上記フレームガイドに通された上記フレームに因って天頂部として上方に凸状および下部として柱状の空間を囲繞するように袋状に張設される１枚の防水性シートと、を具備する。
【発明の効果】
【０００７】
この発明に係わる雨天作業用テントの効果は、上方に凸のアーチ状のフレームが、地上部などの作業床面に置かれるフレーム受け枠に天頂で交差するようにしてアーチ状に建てられ、そのフレームに内設されるように張設されたシートにより直方体の空間が囲繞され、その空間に足場を組むことができ、高い位置での作業も行うことができる。
また、フレームの内側に１枚のシートが張設されるので、雨の吹き込みが防げて禁水性が保持される作業空間を得ることができる。
【発明を実施するための最良の形態】
【０００８】
実施の形態
図１は、この発明の実施の形態に係わる雨天作業用テントが組み立てられた状態を正面から見た正面図である。図２は、実施の形態に係わるフレーム受け枠の平面図である。図３は、雨天作業用テントのフレームだけをフレーム受け枠に組み立てた正面図である。図４は、折り畳んだ状態の柱である。図５は、シートがシート支持体により張設されたときの開口部をシートの外側から見た背面図である。図６は、シートがシート支持体により張設されたときのファスナ部をシートの外側から見た正面図である。図７は、シートがシート支持体により張設されたときの天頂側から見た平面図である。
【０００９】
この発明に係わる雨天作業用テントは、ナトリウム−硫黄電池のモジュール電池が多段に積み上げられて収納されている作業対象物としてのパッケージの扉の前面に置かれ、パッケージ内部のモジュール電池や制御装置の点検、修理および交換などを行える作業空間を確保するために用いられる。そして、モジュール電池は多段に積み上げられているので、高さが５ｍ以上にもなる高所での作業も行うために、足場を作業空間内に設置することが必要である。さらに、パッケージ内に収納されているナトリウム−硫黄電池は、その負極物質として用いられているナトリウムが消防法上の禁水性物質に当たることから、雨水がかからないようにしなければならない。
【００１０】
この発明に係わる雨天作業用テント１は、図１に示すように、作業空間を囲繞する袋状の１枚のシート２と、シート２を張設するシート支持体３と、シート支持体３が固定されるフレーム受け枠４から構成されている。
【００１１】
フレーム受け枠４は、図２に示すように、上底２．４ｍ、下底２．９ｍ、高さ１．３ｍの台形の上底と両側辺に位置するアングル５と、台形の４隅に溶接で縦立されている外径１．９ｃｍ、長さ１０ｃｍの管６から構成されている。アングル５は、荷姿のときは４つの部分に分割されており、組み立てるときは、ネジ締めされる。アングル５は、アルミニウム等辺山形鋼、管６はアルミニウムパイプからできている。このフレーム受け枠４が作業床面に載置される。なお、フレーム受け枠４の大きさは例示しただけで、作業対象物のパッケージなどに対して適切な大きさに設定すればよい。
【００１２】
シート支持体３は、図３に示すように、２本のフレーム７からなる。そして、フレーム７は、２．９ｍ間隔で縦立されている２本の柱８と、縦立されている２本の柱８の上端部８ａを跨るように固定された上方に凸のアーチ状の梁９とから構成されている。
この２本のフレーム７は、フレーム受け枠４の対角に位置する管６に柱８の下端部８ｂが挿入されて、梁９の頂点付近で交差するようにして建てられている。
このように、２本のフレーム７が天頂部で交差されているので、水平方向の剛性は均一となり、風の向きが色々であってもシート２を確実に支持できる。
【００１３】
柱８と梁９は、図４に示すように、それぞれ複数のパイプ１０から構成されており、パイプ１０の一方の端部に外径が小さなジョイント部１１がパイプ１０の延びる方向に溶接して固定されている。そして、柱８または梁９として組み立てるとき、パイプ１０の他方の端部にジョイント部１１を挿入することにより１本の柱８または梁９となる。そのうえ、組み立てたとき１本の柱８または梁９になるように、パイプ１０の中をロープ１２が通されており、組のパイプ１０は一塊として取り扱うことができるとともに、組み立てる順番も揃っているので、組立に要する時間が短くてすむ。パイプ１０は、アルミニウムパイプからできている。
【００１４】
シート２は、図５、図６に示すように、底面１４、背面１５ａに設けられている開口部１６および正面１５ｂに設けられているファスナ部１９の部分を除いてシームレスであり、シート２自体は表面が撥水処理を施されており、雨水を通すことがない。
シート２は、シート支持体３により張設されたとき、天頂部１５ｃが上方に凸のアーチ形になり、その下部に４つの壁に相当する正面１５ａ、背面１５ｂ、２つの側面が形成される。
このように天頂部１５ｃが上方に凸のアーチ形になっているので、雨が降っても開口部のない側面を伝わって流れるので、天頂部１５ｃに溜まることがない。
【００１５】
図示しないパッケージの扉に相対する台形の上底に該当する背面１５ａに、図５に示したように、開口部１６が設けられている。この開口部１６は、作業対象のナトリウム−硫黄電池が収納されているパッケージに設けられている扉に面するように配置される。
また、開口部１６の外縁に図５に示すように、フラップ部１７が設けられている。
また、フラップ部１７には、フラップ部１７を作業空間側に引っ張り力を加えながら係止する係止ロープ１８が適当な間隔をおいて取り付けられている。
また、開口部１６が設けられている背面１５ａに相対する正面１５ｂには、図６に示すように、作業者が作業空間に出入りするときに開閉するファスナ部１９が設けられている。
【００１６】
また、シート２には、フレーム７を通すことができるフレームガイド２０がフレーム７の建てられたときの位置に沿うように外表面に貼付されている。このフレームガイド２０は、フレーム７が通されているとき、内径が２．４ｃｍ位のトンネル状である。
また、天頂部１５ｃのフレームガイド２０は、図７に示すように、対角線上に貼付されている。
【００１７】
次に、ナトリウム−硫黄電池のパッケージの前面に雨が入り込まない作業空間を確保するための雨天作業用テント１の組立について説明する。
フレーム受け枠４をパッケージの扉の前面に組み立てて設置する。
次に、フレーム７の柱８を４本、梁９を２本組み立てる。
次に、シート２を拡げる。
次に、梁９をシート２の天頂部１５ｃのフレームガイド２０に２本の梁９が天頂で交差するように通す。
次に、柱８をシート２の側面のフレームガイド２０に通して行き、上端部８ａで梁９の端部と連結する。
次に、フレーム７がフレームガイド２０に通されたまま、シート２の天頂部１５ｃが上に向くように９０度起こす。
次に、シート２の背面１５ａの開口部１６がパッケージの扉の前に配置できるようにしながら、柱８をそれぞれフレーム受け枠４の管６に挿入し、固定する。
次に、底面１４のフラップ部１７を挟持部材としての磁石によりフレーム受け枠４のアングル５に挟み込む。さらに背面１５ａの開口部１６のフラップ部１７も挟持部材としての磁石によりパッケージの扉の外側に挟み込む。
次に、係止ロープ１８をフレーム受け枠４のアングル５、パッケージ内に引っ張りながら他端を固定する。
【００１８】
このように、フラップ部１７が磁石によりアングル５またはパッケージに挟持されるので、風があっても雨が作業空間に吹き込むことを防ぐことができる。
また、フラップ部１７が係止ロープにより張力が加えられているいので、風が強く吹いていてもフラップ部１７が巻き上げられることがない。
【００１９】
このような雨天作業用テント１は、２本のフレーム７がフレーム受け枠４に天頂で交差するようにしてアーチ状に建てられているので、フレーム７により直方体の空間が囲繞され、その空間に足場を組むことができ、高い位置での作業も行うことができる。
また、フレーム７によりその内側に１枚のシート２が張設されるので、禁水性が保持される作業空間を得ることができる。
また、開口しているところにフラップ部１７が付けられており、そのフラップ部１７を磁石またはマジックテープ（登録商標）などで、フレーム受け枠４やナトリウム−硫黄電池のパッケージに固定することができるので、雨水の吹き込みを防止することができる。
また、天頂部１５ｃが上方に凸のアーチ形をしているので、パッケージの一番上の段に収納されているモジュール電池に対しても、頭上に余裕を持った姿勢で作業を進めることができる。
【００２０】
なお、フレーム受け枠４の形状が台形として説明したが、長方形であっても同様な雨天作業用テントを得ることができる。
また、フレーム７の数を２本として説明してきたが、３本以上のフレーム７を用いることにより、より大きな作業空間を確保でき、さらに、太径のパイプを使用することで剛性のより大きな雨天作業用テントを提供することができる。
【図面の簡単な説明】
【００２１】
【図１】この発明の実施の形態に係わる雨天作業用テントが組み立てられた状態を正面から見た正面図である。
【図２】実施の形態に係わるフレーム受け枠の平面図である。
【図３】雨天作業用テントのフレームだけをフレーム受け枠に組み立てた正面図である。
【図４】折り畳んだ状態の柱である。
【図５】シートがシート支持体により張設されたときの開口部をシートの外側から見た背面図である。
【図６】シートがシート支持体により張設されたときのファスナ部をシートの外側から見た正面図である。
【図７】シートがシート支持体により張設されたときの天井側から見た平面図である。
【符号の説明】
【００２２】
１  雨天作業用テント、２  シート、３  シート支持体、４  フレーム受け枠、５  アングル、６  管、７  フレーム、８  柱、９  梁、１０  パイプ、１１  ジョイント部、１２  ロープ、１４  底面、１５ａ  背面、１５ｂ  正面、１５ｃ  天頂部、１６  開口部、１７  フラップ部、１８  係止ロープ、１９  ファスナ部。
【図１】
2006257759.tif 000003
【図２】
2006257759.tif 000004
【図３】
2006257759.tif 000005
【図４】
2006257759.tif 000006
【図５】
2006257759.tif 000007
【図６】
2006257759.tif 000008
【図７】
2006257759.tif 000009